(57)【要約】【課題】空気の流れを妨げずに、様々な位置に設置可能にすること。【解決手段】複数のＬＥＤ２４が列状に配置された基板２０と、基板２０を収容する、下側カバー部材３０と、上側カバー部材４０と、を有する表示ユニット１０と、複数の表示ユニット１０を、ＬＥＤ２４が重ならないように、所定方向にずらした状態で積み重ねて形成された表示面１ａと、を備える。【選択図】図１
2020104712.tif 000002
【特許請求の範囲】
【請求項１】
複数の光学部材が列状に配置された基板と、前記基板を収容するカバー部材と、を有する表示ユニットと、
複数の前記表示ユニットを、前記光学部材が重ならないように、所定方向にずらした状態で積み重ねて形成された表示面と、
を備えることを特徴とする表示装置。
【請求項２】
前記表示ユニットは、櫛型に形成され、
前記光学部材は、前記表示ユニットの複数の櫛歯部に配置され、
前記表示面は、複数の前記表示ユニットを、前記櫛歯部が交互に露出するようにずらした状態で積み重ねて形成されている、
請求項１に記載の表示装置。
【請求項３】
前記表示ユニットは、渦巻状に形成され、
前記表示面は、複数の前記表示ユニットを、径方向に交互に露出するようにずらした状態で積み重ねて形成されている、
請求項１に記載の表示装置。
【請求項４】
前記表示面は、ドットマトリクス型に形成されている、
請求項１から３のいずれか一項に記載の表示装置。
【請求項５】
前記カバー部材は、前記表示面から離れるにつれて断面積が縮小する、
請求項１から４のいずれか一項に記載の表示装置。
【請求項６】
光学部材は、発光部、または、反射鏡、である、
請求項１から５のいずれか一項に記載の表示装置。
【発明の詳細な説明】
【技術分野】
【０００１】
本発明は、表示装置に関する。
【背景技術】
【０００２】
例えば、車両において、ウィンドシールド上に反射像を映し出して前方の背景と重ね合わせて表示する技術が知られている（例えば、特許文献１参照）。
【先行技術文献】
【特許文献】
【０００３】
【特許文献１】特開２０１３−１５９１７２号公報
【発明の概要】
【発明が解決しようとする課題】
【０００４】
ヘッドアップディスプレイ（以下、「ＨＵＤ」という。）によって大きな虚像を表示するためには、ＨＵＤが大型化する。また、ＨＵＤは、ウィンドシールドの近傍に配置することが好ましい。ところが、ＨＵＤをダッシュボード上に設置する場合、デフロスタの吹出口から吹き出す空気の流れを妨げない位置に設置する必要がある。これにより、ＨＵＤを設置する場所は限られた位置になる。
【０００５】
本発明は、上記に鑑みてなされたものであって、空気の流れを妨げずに、様々な位置に設置可能にすることを目的とする。
【課題を解決するための手段】
【０００６】
上述した課題を解決し、目的を達成するために、本発明に係る表示装置は、複数の光学部材が列状に配置された基板と、前記基板を収容するカバー部材と、を有する表示ユニットと、複数の前記表示ユニットを、前記光学部材が重ならないように、所定方向にずらした状態で積み重ねて形成された表示面と、を備えることを特徴とする。
【発明の効果】
【０００７】
本発明によれば、空気の流れを妨げずに、様々な位置に設置可能にすることができるという効果を奏する。
【図面の簡単な説明】
【０００８】
【図１】図１は、第一実施形態に係る表示装置を車両に設置した状態を示す概略図である。
【図２】図２は、第一実施形態に係る表示装置の構成例を示す概略図である。
【図３】図３は、第一実施形態に係る表示装置の表示ユニットを説明する斜視図である。
【図４】図４は、第一実施形態に係る表示装置の表示ユニットを説明する平面図である。
【図５】図５は、第一実施形態に係る表示装置の表示ユニットを説明する正面図である。
【図６】図６は、第一実施形態に係る表示装置の表示ユニットを説明する分解斜視図である。
【図７】図７は、第一実施形態に係る表示装置を説明する分解斜視図である。
【図８】図８は、第一実施形態に係る表示装置を説明する平面図である。
【図９】図９は、第一実施形態に係る表示装置を説明する平面図である。
【図１０】図１０は、第一実施形態に係る表示装置を説明する正面図である。
【図１１】図１１は、第一実施形態に係る表示装置の正面図の部分拡大図である。
【図１２】図１２は、第一実施形態に係る表示装置を車両に設置した状態の他の例を示す概略図である。
【図１３】図１３は、第二実施形態に係る表示装置を車両に設置した状態を示す概略図である。
【図１４】図１４は、表示装置の構成例の他の例を示す概略図である。
【図１５】図１５は、表示装置の構成例の他の例を示す概略図である。
【図１６】図１６は、表示装置の構成例の他の例を示す概略図である。
【発明を実施するための形態】
【０００９】
以下に添付図面を参照して、本発明に係る表示装置１の実施形態を詳細に説明する。なお、以下の実施形態により本発明が限定されるものではない。
【００１０】
以下の説明においては、表示装置１を車両の運転席の前方に搭載した状態で各方向を定義する。前後方向とは、車両直進時の進行方向と平行な方向であり、運転席側に向かう方向を前後方向の「前」、ウィンドシールドＳ側に向かう方向を前後方向「後」とする。前後方向を、Ｘ軸方向とする。左右方向とは、前後方向に対して水平に直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および上下方向は、３次元で直交する。
【００１１】
［第一実施形態］
図１は、第一実施形態に係る表示装置を車両に設置した状態を示す概略図である。図２は、第一実施形態に係る表示装置の構成例を示す概略図である。表示装置１は、ドットマトリクス型の表示装置である。本実施形態では、表示装置１は、車両に載置される。表示装置１は、例えば、車両の速度またはエンジン回転数のような車両の運転に要する情報や、例えば、ナビゲーション情報またはオーディオ情報を表示可能である。表示装置１は、低解像度で表示しても認識可能な、文字、記号、または、図形の表示に特に適している。
【００１２】
表示装置１は、複数の表示ユニット１０と、制御回路５０とを有する。本実施形態では、表示装置１は、上下に積み重ねて配置された２つの表示ユニット１０と、これらを制御する制御回路５０とを有する。表示装置１は、２つの表示ユニット１０の表面１０ａによって形成された表示面１ａを有する。表示面１ａは、情報を表示する。
【００１３】
図３ないし図６を用いて、表示ユニット１０について説明する。図３は、第一実施形態に係る表示装置の表示ユニットを説明する斜視図である。図４は、第一実施形態に係る表示装置の表示ユニットを説明する平面図である。図５は、第一実施形態に係る表示装置の表示ユニットを説明する正面図である。図６は、第一実施形態に係る表示装置の表示ユニットを説明する分解斜視図である。表示ユニット１０の表面１０ａは、表示装置１の表示面１ａの一部を形成する。表示ユニット１０は、本体部１１と、櫛歯部１２とを有する櫛型に形成されている。表示ユニット１０は、基板２０と、下側カバー部材（カバー部材）３０と、上側カバー部材（カバー部材）４０とを有する。
【００１４】
基板２０は、例えば、ＬＥＤ（Ｌｉｇｈｔ  Ｅｍｉｔｔｉｎｇ  Ｄｉｏｄｅ、発光部）、光ファイバの端面（発光部）および反射鏡を含む光学部材が列状に配置されている。本実施形態では、基板２０には、ＬＥＤ２４が配置されているものとして説明する。基板２０は、櫛型に形成されている。基板２０は、基板部材２１と、複数のＬＥＤ２４とを有する。
【００１５】
基板部材２１は、ＬＥＤ、光ファイバの端面および反射鏡を含む部材を支持する。本実施形態では、基板部材２１は、ＬＥＤを支持する。基板部材２１は、櫛型の板材で形成されている。基板部材２１は、Ｙ軸方向に長い矩形状に形成された本体部２２と、複数の櫛歯部２３とを有する。本体部２２には、基板部材２１上に配置された複数のＬＥＤ２４の図示しないドライバ回路が配置されている。櫛歯部２３は、本体部２２と一体に形成されている。櫛歯部２３は、本体部２２からＸ軸方向に突設されている。櫛歯部２３は、Ｙ軸方向に間隔を空けて配置されている。櫛歯部２３のＹ軸方向の幅は、ＬＥＤ２４を配置可能な範囲で狭いほど好ましい。
【００１６】
ＬＥＤ２４は、ドライバ回路を介し制御回路５０によって発光と発光停止とが切り替えられる。ＬＥＤ２４は、櫛歯部２３に配置されている。ＬＥＤ２４は、櫛歯部２３ごとに、Ｘ軸方向に沿って列状に配置されている。本実施形態では、ＬＥＤ２４は、１つの櫛歯部２３に数１０個程度が１列に並んでいる。１つの櫛歯部２３に配置されたＸ軸方向に並んだＬＥＤ２４の列を、ＬＥＤ列２５とする。ＬＥＤ列２５は、複数がＹ軸方向に間隔を空けて配置されている。
【００１７】
下側カバー部材３０は、上側に向かって開口した、箱型に形成されている。下側カバー部材３０は、基板２０を収容する。下側カバー部材３０は、Ｚ軸方向視において、基板２０に対応した櫛型状である。下側カバー部材３０は、耐熱性および耐紫外線性を有する材料で形成されている。下側カバー部材３０は、本体収容部３１と、複数の櫛歯収容部３２とを有する。
【００１８】
本体収容部３１は、基板２０の基板部材２１の本体部２２を内部の空間３１Ｓに収容する。本体収容部３１は、直方体状に形成されている。本体収容部３１は、Ｚ軸方向視において、Ｙ軸方向に長い矩形状である。本体収容部３１は、櫛歯収容部３２よりＺ軸方向の高さが高く形成されている。本体収容部３１の下端部３１ａは、櫛歯収容部３２の下端部３２ａより下側に位置する。
【００１９】
櫛歯収容部３２は、基板２０の基板部材２１の櫛歯部２３を内部の空間３２Ｓに収容する。櫛歯収容部３２は、本体収容部３１と一体に形成されている。櫛歯収容部３２の内部の空間３２Ｓは、本体収容部３１の内部の空間３１Ｓと連通している。櫛歯収容部３２は、Ｘ軸方向視において逆三角形状を有する筒状に形成されている。言い換えると、櫛歯収容部３２は、櫛歯カバー部４２の表面４２ａから離れるにつれて断面積が縮小する。櫛歯収容部３２は、本体収容部３１からＸ軸方向に突設されている。櫛歯収容部３２は、Ｙ軸方向に間隔を空けて配置されている。隣接する櫛歯収容部３２の間隔ｄ１は、１つの櫛歯収容部３２のＹ軸方向の幅ｄ２と同程度の大きさである。間隔ｄ１は、幅ｄ２より大きいことが好ましい。
【００２０】
上側カバー部材４０は、下側カバー部材３０の開口を覆うカバーである。上側カバー部材４０は、下側カバー部材３０に対応した櫛型の板材で形成されている。上側カバー部材４０は、耐熱性および耐紫外線性を有する材料で形成されている。上側カバー部材４０の表面においては、光の反射が抑制される。上側カバー部材４０は、本体カバー部４１と、複数の櫛歯カバー部４２と、複数の孔部４３とを有する。
【００２１】
本体カバー部４１は、下側カバー部材３０の本体収容部３１と向かい合って配置されている。本体カバー部４１は、下側カバー部材３０の本体収容部３１の開口と同じ形状である。本体カバー部４１は、Ｚ軸方向視において、Ｙ軸方向に長い矩形状である。
【００２２】
櫛歯カバー部４２は、下側カバー部材３０の櫛歯収容部３２と向かい合って配置されている。櫛歯カバー部４２は、下側カバー部材３０の櫛歯収容部３２の開口と同じ形状である。櫛歯カバー部４２は、本体カバー部４１と一体に形成されている。櫛歯カバー部４２は、本体カバー部４１からＸ軸方向に突設されている。櫛歯カバー部４２は、Ｙ軸方向に間隔を空けて配置されている。隣接する櫛歯カバー部４２の間隔ｄ１は、１つの櫛歯カバー部４２のＹ軸方向の幅ｄ２と同程度の長さである。櫛歯カバー部４２の表面４２ａが、表示ユニット１０の表面１０ａである。
【００２３】
孔部４３は、下側カバー部材３０に収容された基板２０上のＬＥＤ２４が発光した際、光を通過させる。孔部４３は、櫛歯カバー部４２を貫通している。孔部４３は、下側カバー部材３０に収容されたＬＥＤ２４の位置に対応して形成されている。孔部４３は、櫛歯カバー部４２ごとに、Ｘ軸方向に沿って列状に配置されている。本実施形態では、孔部４３は、１つの櫛歯カバー部４２に数１０個程度が１列に並んでいる。孔部４３は、本体カバー部４１において、複数の列がＹ軸方向に間隔を空けて配置されている。
【００２４】
このように構成された表示ユニット１０は、複数が、各表示ユニット１０の基板２０上のＬＥＤ２４が重ならず露出するようにＹ軸方向の位置をずらした状態で、Ｚ軸方向に積み重ねられる。複数の表示ユニット１０は、各表示ユニット１０の基板２０上のＬＥＤ２４が所定方向に交互に露出して配置されるようにＹ軸方向の位置をずらした状態で、Ｚ軸方向に積み重ねられる。
【００２５】
図７ないし図１１に示すように、本実施形態では、表示ユニット１０が、Ｚ軸方向に２段に積み重ねて配置されている。図７は、第一実施形態に係る表示装置を説明する分解斜視図である。図８は、第一実施形態に係る表示装置を説明する平面図である。図９は、第一実施形態に係る表示装置を説明する平面図である。図１０は、第一実施形態に係る表示装置を説明する正面図である。図１１は、第一実施形態に係る表示装置の正面図の部分拡大図である。ここで、説明のために、上段の表示ユニットを「１０Ｕ」、下段の表示ユニットを「１０Ｌ」とする。表示ユニット１０Ｕの各部には「Ｕ」を付し、表示ユニット１０Ｌの各部には「Ｌ」を付して説明する。
【００２６】
上段の表示ユニット１０Ｕと下段の表示ユニット１０Ｌとは、表面１０ａＵと表面１０ａＬとが重ならないように、Ｙ軸方向の位置をずらして配置されている。また、上段の表示ユニット１０Ｕと下段の表示ユニット１０Ｌとは、Ｘ軸方向の位置を揃えて配置されている。上段の表示ユニット１０Ｕと下段の表示ユニット１０Ｌとは、櫛歯部１２Ｕと櫛歯部１２Ｌとが重ならず、交互に露出するように配置されている。より詳しくは、隣接する櫛歯部１２Ｕの間に、櫛歯部１２Ｌが位置するように配置されている。上段の表示ユニット１０ＵのＬＥＤ列２５Ｕと、下段の表示ユニット１０ＬのＬＥＤ列２５Ｌとは、Ｙ軸方向に交互に並んで露出している。このようにＬＥＤ列２５ＵとＬＥＤ列２５Ｌとが配置されていることによって、ＬＥＤ列２５Ｕに含まれるＬＥＤ２４Ｕと、ＬＥＤ列２５Ｌに含まれるＬＥＤ２４Ｌとが格子状に配置されて、ドットマトリクス型の表示面１ａが形成されている。
【００２７】
ドットマトリクス型の表示面１ａは、所定方向において、上段の表示ユニット１０Ｕと下段の表示ユニット１０ＬとのＬＥＤ２４が交互に配置される。より詳しくは、表示面１ａにおいては、Ｘ軸方向には、上段の表示ユニット１０ＵのＬＥＤ列２５Ｕに含まれるＬＥＤ２４Ｕ、または、下段の表示ユニット１０ＬのＬＥＤ列２５Ｌに含まれるＬＥＤ２４Ｌが配列されている。また、Ｙ軸方向には、上段の表示ユニット１０ＵのＬＥＤ２４Ｕと、下段の表示ユニット１０ＬのＬＥＤ２４Ｌとが交互に配列されている。
【００２８】
上段の表示ユニット１０Ｕの本体部１１Ｕは、下段の表示ユニット１０Ｌの本体部１１Ｌ上に載置されている。上段の表示ユニット１０Ｕの下側カバー部材３０Ｕの本体収容部３１Ｕの下端部３１ａＵは、下段の表示ユニット１０Ｌの上側カバー部材４０Ｌの本体カバー部４１Ｌの上面４１ａＬに接触する。
【００２９】
上段の表示ユニット１０Ｕの櫛歯部１２Ｕの下端部は、下段の表示ユニット１０Ｌの櫛歯部１２Ｌより上側に位置する。より詳しくは、上段の表示ユニット１０Ｕの下側カバー部材３０Ｕの櫛歯収容部３２Ｕの下端部３２ａＵは、下段の表示ユニット１０Ｌの上側カバー部材４０Ｌの櫛歯カバー部４２Ｌの表面４２ａＬより上側に位置する。言い換えると、上段の表示ユニット１０Ｕの櫛歯収容部３２Ｕは、下段の表示ユニット１０Ｌの櫛歯カバー部４２Ｌに接触しない。また、上述したように、上段の表示ユニット１０Ｕと下段の表示ユニット１０Ｌとは、Ｙ軸方向に位置をずらして配置されている。これらにより、上段の表示ユニット１０Ｕの櫛歯部１２Ｕと、下段の表示ユニット１０Ｌの櫛歯部１２Ｌとの間には、空気の流路となる空間が形成されている。
【００３０】
制御回路５０は、複数の表示ユニット１０のＬＥＤ２４をそれぞれ発光させたり、発光停止させたりする回路である。制御回路５０は、表示装置１の表示面１ａに表示させる情報をＣＡＮ（Ｃｏｎｔｒｏｌｌｅｒ  Ａｒｅａ  Ｎｅｔｗｏｒｋ）、ナビゲーションシステム、または、外部装置から取得可能である。制御回路５０は、取得した情報をドットマトリクス型の表示面１ａで表示させるように、ドットマトリクス型の表示面１ａの所望の位置のＬＥＤ２４の発光と発光停止とを制御する。例えば、図８に示す例では、ドットマトリクス型の表示面１ａの所望の位置のＬＥＤ２４の発光と発光停止とを制御して、表示面１ａに「８８」と表示させている。
【００３１】
次に、表示装置１の使用方法、作用について説明する。表示装置１をＨＵＤの投影装置として使用する場合について説明する。ＨＵＤの投影装置として使用する場合、表示装置１は、図１に示すように、車両のダッシュボードＤに配置されたデフロスタの吹出口ＤＡ上に、表示面１ａを上向きにして配置される。表示装置１の表示面１ａは、ウィンドシールドＳと向かい合って配置されている。表示装置１は、表示ユニット１０の本体部１１を運転者側に、櫛歯部１２をウィンドシールドＳ側に配置されている。表示装置１は、表示ユニット１０の櫛歯部１２を吹出口ＤＡの真上に配置されている。このように配置された表示装置１は、表示面１ａにおいてＬＥＤ２４が発光した光をウィンドシールドＳにおいて反射させて、運転者に虚像として視認させる。
【００３２】
つづいて、図１に示すように設置された表示装置１の作用について説明する。デフロスタを動作させると、デフロスタの吹出口ＤＡから空気が吹き出される。デフロスタの吹出口ＤＡから吹き出された空気は、表示装置１の表示面１ａとは、反対側の裏面１ｂに吹き付けられる。裏面１ｂに吹き付けられた空気は、下段の表示ユニット１０Ｌの櫛歯部１２Ｌの周面に沿って表面１０ａＬ側に流れる。そして、下段の表示ユニット１０Ｌの表面１０ａＬまで到達した空気は、さらに、上段の表示ユニット１０Ｕの櫛歯部１２Ｕの周面に沿って表面１０ａＵ側に流れる。このようにして、吹出口ＤＡから吹き出された空気は、図１０、図１１において、矢印Ａで示すように、互い違いに配置された下段の表示ユニット１０Ｌと上段の表示ユニット１０Ｕとの間に形成された空間を通過して、表示面１ａ側からウィンドシールドＳへ向かって吹き出される。
【００３３】
表示装置１の表示面１ａを運転者に直接視認させて使用する場合について説明する。運転者に直接視認させる場合、表示装置１は、表示面１ａを運転者に正対させて配置される。例えば、図１２に示すように、表示装置１は、車両のインストルメントパネルに配置されたエアコンの吹出口ＤＢの運転者側に、表示面１ａが運転者と正対するように配置される。図１２は、第一実施形態に係る表示装置を車両に設置した状態の他の例を示す概略図である。表示装置１は、表示ユニット１０の本体部１１を下側に、櫛歯部１２を上側に配置されている。表示装置１は、表示ユニット１０の櫛歯部１２を吹出口ＤＢの真上に配置されている。このように配置された表示装置１は、表示面１ａを運転者に直接視認させる。
【００３４】
つづいて、図１２に示すように設置された表示装置１の作用について説明する。エアコンを動作させると、エアコンの吹出口ＤＢから空気が吹き出される。エアコンの吹出口ＤＢから吹き出された空気は、互い違いに配置された下段の表示ユニット１０Ｌと上段の表示ユニット１０Ｕとの間に形成された空間を通過して、表示面１ａ側から車室内へ吹き出される。
【００３５】
このようにして、表示ユニット１０を櫛型に形成して、櫛歯部１２にＬＥＤ２４を配置する。複数の表示ユニット１０を、櫛歯部１２が重ならないようにＹ軸方向の位置をずらした状態で、Ｚ軸方向に積み重ねて、表示装置１が形成される。表示装置１は、複数の表示ユニット１０のＬＥＤ２４が格子状に配置されたドットマトリクス型の表示面１ａを有する。また、表示装置１は、複数の表示ユニット１０を櫛歯部１２が重ならないように配置されているので、裏面１ｂと表示面１ａとの間に空気の流路となる空間が形成される。これにより、表示装置１は、裏面１ｂと表示面１ａとの間で、空気の流れが妨げられない。
【００３６】
上述したように、本実施形態は、表示ユニット１０を櫛型に形成して、櫛歯部１２にＬＥＤ２４を配置する。本実施形態は、複数の表示ユニット１０を、櫛歯部１２が重ならないようにＹ軸方向の位置をずらした状態で、Ｚ軸方向に積み重ねて、表示装置１を形成する。本実施形態では、上段の表示ユニット１０Ｕの隣接する櫛歯部１２Ｕの間に、下段の表示ユニット１０Ｌの櫛歯部１２Ｌが位置するように配置されている。このようにして、本実施形態は、複数の表示ユニット１０のＬＥＤ２４が格子状に配置されたドットマトリクス型の表示面１ａを形成することができる。
【００３７】
本実施形態によれば、複数の表示ユニット１０を櫛歯部１２が重ならないように配置されているので、裏面１ｂと表示面１ａとの間に空気の流路となる空間が形成される。これにより、本実施形態は、裏面１ｂと表示面１ａとの間で、空気の流れを妨げずに、空気を通過させることができる。
【００３８】
本実施形態は、櫛歯収容部３２の断面積が、空気抵抗が少なくなるように、櫛歯カバー部４２の表面４２ａから離れるにつれて縮小する。本実施形態によれば、上段の表示ユニット１０Ｕの櫛歯部１２Ｕと、下段の表示ユニット１０Ｌの櫛歯部１２Ｌとの間に空気の流路となる空間を形成することができる。これにより、本実施形態は、裏面１ｂと表示面１ａとの間で、空気の流れを妨げずに、空気をより確実に通過させることができる。
【００３９】
本実施形態によれば、吹出口から吹き出される空気の流れを妨げることないので、表示装置１を吹出口の下流側に配置することができる。これにより、本実施形態では、車両のデフロスタの吹出口ＤＡの上、または、エアコンの吹出口ＤＢの運転者側に配置することができる。本実施形態は、表示装置１を設置する位置が限定されず、設置の自由度を向上することができる。
【００４０】
［第二実施形態］
図１３を参照しながら、本実施形態に係る表示装置１Ａについて説明する。図１３は、第二実施形態に係る表示装置を車両に設置した状態を示す概略図である。表示装置１Ａは、基本的な構成は第一実施形態の表示装置１と同様である。以下の説明においては、表示装置１と同様の構成要素には、同一の符号または対応する符号を付し、その詳細な説明は省略する。表示装置１Ａは、投射部６０Ａから投射された投射光を反射させ運転者等に虚像として認識させる点で第一実施形態と異なる。表示装置１Ａの表示面１ａＡは、反射面として機能する。
【００４１】
投射部６０Ａは、表示装置１Ａの表示面１ａＡと向かい合って配置される。投射部６０Ａは、制御回路５０Ａの制御によって、表示装置１Ａの表示面１ａＡへ光を投射する。より詳しくは、投射部６０Ａは、ドットマトリクス型の表示面１ａＡにおいて所望の虚像を視認させる光が反射されるように、表示面１ａＡに対して投射光を投射する。
【００４２】
表示装置１Ａは、表示面１ａＡがウィンドシールドＳおよび投射部６０Ａと向かい合って配置される。表示装置１Ａは、ＬＥＤ２４に代わって、反射鏡２４Ａが配置されている。
【００４３】
反射鏡２４Ａは、投射部６０Ａが投射した投射光を反射させる。反射鏡２４Ａが反射した光は、ウィンドシールドＳにおいて反射されて運転者に虚像として視認される。
【００４４】
上述したように、本実施形態は、ＬＥＤ２４に代わって反射鏡２４Ａを配置しても、運転者等に虚像を認識させることができる。
【００４５】
さて、これまで本発明に係る表示装置１について説明したが、上述した実施形態以外にも種々の異なる形態にて実施されてよいものである。
【００４６】
上記した構成要素には、当業者が容易に想定できるもの、実質的に同一のものを含む。さらに、上記した構成は適宜組み合わせが可能である。また、本発明の要旨を逸脱しない範囲において構成の種々の省略、置換または変更が可能である。
【００４７】
上記では、２つの表示ユニット１０を積み重ねる場合について説明したが、積み重ねる表示ユニット１０の数は２つに限定されない。３つ以上の表示ユニット１０を積み重ねてもよい。
【００４８】
上記では、表示ユニット１０は、Ｘ軸方向に延びる櫛歯部１２を有するものとして説明したが、これに限定されない。図１４に示すように、表示ユニット１０Ｂは、Ｙ軸方向に沿って延びる櫛歯部１２Ｂを有していてもよい。図１４は、表示装置の構成例の他の例を示す概略図である。表示ユニット１０Ｂは、本体部１１Ｂと向かい合う位置に支持部１３Ｂを有する。支持部１３Ｂは、櫛歯部１２Ｂの先端部を支持して撓みを抑制する。表示ユニット１０Ｂにおいて、ＬＥＤ２４Ｂの列であるＬＥＤ列２５Ｂは、複数がＸ軸方向に間隔を空けて配置されている。複数の表示ユニット１０Ｂを、櫛歯部１２Ｂが重ならないようにＸ軸方向の位置をずらした状態で、Ｚ軸方向に積み重ねて、表示装置１Ｂが形成される。このように、表示装置１Ｂの使用用途または表示装置１Ｂを設置する位置に合わせて、適切な形状に形成することができる。
【００４９】
上記では、１つの櫛歯部２３にＸ軸方向に沿って１列にＬＥＤ２４が並んでいるものとして説明したが、これに限定されない。図１５に示すように、ＬＥＤ２４Ｃは、櫛歯部２３Ｃごとに、複数列で配置されていてもよい。図１５は、表示装置の構成例の他の例を示す概略図である。このように、表示装置１Ｃの使用用途または表示装置１Ｃを設置する位置に合わせて、１つの櫛歯部２３ＣにＬＥＤ２４Ｃを適切に配列することができる。
【００５０】
上記では、表示ユニット１０は、櫛型に形成されているものとして説明したが、これに限定されない。図１６に示すように、表示ユニット１０Ｄは、渦巻型に形成されていてもよい。図１６は、表示装置の構成例の他の例を示す概略図である。２つの表示ユニット１０Ｄを、径方向に交互に露出するようにずらした状態で積み重ねて形成された表示装置１Ｄは、円形状の表示面１ａＤを有する。表示面１ａＤにおいては、径方向に、上段の表示ユニット１０ＵのＬＥＤ２４Ｕと、下段の表示ユニット１０ＬのＬＥＤ２４Ｌとが交互に配列されている。このように、表示装置１Ｄは、例えば、信号機のような円形状の表示面を有する表示器として適用可能である。
【００５１】
上記の表示装置１において、表示ユニット１０の櫛歯部１２を軸線回りに回転させて、櫛歯部１２の向きを調節可能にしてもよい。これにより、表示装置１と視認者との位置関係または表示装置１とウィンドシールドＳとの位置関係に応じて、表示面１ａを適切な向きに調節することができる。
【００５２】
上記の表示装置１において、発光部として、ＬＥＤ２４に代わって、液晶表示器の表示光を導光した光ファイバの端面を配置してもよい。これにより、表示装置１は、表示面１ａをＬＥＤ２４で形成する場合に比べて、高精細な画像を表示することができる。
【００５３】
上記では、表示装置１は、車両に搭載されるものとして説明したが、これに限定されない。表示装置１は、ドットマトリクス型の表示装置として様々な用途で使用可能である。例えば、表示装置１は、鉄道駅の電光掲示板、道路の電光掲示板、信号機などに適用可能である。このような場所に使用された場合にも、裏面１ｂと表示面１ａとの間で、空気の流れを妨げずに、空気を通過させることができる。これにより、表示装置１が屋外に設置されて風の通り道に配置されたとしても、表示装置１が風に煽られて揺れることを抑制することができる。
【００５４】
上記の表示装置１では、複数の表示ユニット１０を積み重ねて使用するものとして説明したが、低解像度で表示すればよい場合には、１つの表示ユニット１０だけで使用してもよい。
【００５５】
上記では、ＬＥＤ２４が発光した際、孔部４３を介して、光線を通過させるものとして説明したが、これに限定されない。孔部４３に代えて、孔部４３が配置されている位置に、光線を透過可能な材料で形成された光透過部を配置してもよい。光透過部の形状、大きさは、光線の射出方向または光線の太さに応じて形成すればよい。光透過部を配置することによって、ＬＥＤ２４が露出しないようにカバーすることができる。これにより、表示ユニット１０の内部への塵埃または水滴などの進入を規制することができる。
【符号の説明】
【００５６】
１        表示装置
１ａ      表示面
１０      表示ユニット
１０ａ    表面
１１      本体部
１２      櫛歯部
２０      基板
２１      基板部材
２２      本体部
２３      櫛歯部
２４      ＬＥＤ（光学部材、発光部）
２５      ＬＥＤ列
３０      下側カバー部材（カバー部材）
３１      本体収容部
３２      櫛歯収容部
４０      上側カバー部材（カバー部材）
４１      本体カバー部
４２      櫛歯カバー部
４３      孔部
５０      制御回路
【図１】
2020104712.tif 000003
【図２】
2020104712.tif 000004
【図３】
2020104712.tif 000005
【図４】
2020104712.tif 000006
【図５】
2020104712.tif 000007
【図６】
2020104712.tif 000008
【図７】
2020104712.tif 000009
【図８】
2020104712.tif 000010
【図９】
2020104712.tif 000011
【図１０】
2020104712.tif 000012
【図１１】
2020104712.tif 000013
【図１２】
2020104712.tif 000014
【図１３】
2020104712.tif 000015
【図１４】
2020104712.tif 000016
【図１５】
2020104712.tif 000017
【図１６】
2020104712.tif 000018